(57)【要約】【課題】  鋸歯電極を変形させることなく安定して巻き取りを行うことが可能な帯電装置を実現する。【解決手段】  本発明の帯電装置は、尖突形状の放電電極２６を複数有する板状の鋸歯電極２１と、該鋸歯電極２１を巻き取る巻取部材２３・２４とを備えており、上記鋸歯電極２１には開口部２８が設けられている。【選択図】  図１
2006106438.tif 000002
【特許請求の範囲】
【請求項１】
尖突形状の放電電極を複数有する板状の放電手段と、該放電手段を巻き取る巻取手段とを備えた帯電装置であって、
上記放電手段に開口部が設けられていることを特徴とする帯電装置。
【請求項２】
上記開口部が複数設けられており、各開口部が等間隔に配置されていることを特徴とする請求項１に記載の帯電装置。
【請求項３】
上記開口部は、隣接する放電電極の各尖端部から放電手段の短手方向に延伸した各直線間に設けられていることを特徴とする請求項１または２に記載の帯電装置。
【請求項４】
上記開口部は、放電電極の尖端部から放電手段の短手方向に延伸した直線上に設けられていることを特徴とする請求項１または２に記載の帯電装置。
【請求項５】
上記放電手段を清掃する清掃手段をさらに備えていることを特徴とする請求項１ないし４のいずれか１項に記載の帯電装置。
【請求項６】
上記清掃手段は、一対の弾性発泡部材からなっていることを特徴とする請求項５に記載の帯電装置。
【発明の詳細な説明】
【技術分野】
【０００１】
本発明は、帯電装置に関するものである。より詳しくは、電子写真装置等に用いられ、感光体表面を帯電させる帯電装置に関するものである。
【背景技術】
【０００２】
従来から、複写機やレーザプリンタ等の電子写真装置に使用される帯電装置として、スコロトロン帯電装置が用いられている。このスコロトロン帯電装置は、断面形状がコの字型のシールドケースの両端に絶縁ブロックを設け、この絶縁ブロックの間に、シールドケースのほぼ中央に位置するように放電ワイヤを張設し、シールドケースの開口面にグリッド電極を設けて構成されている。このグリッド電極は、シールドケースと定電圧素子（バリスタ、ツェナーダイオード等）とを介して接地されている。
【０００３】
上記構成を有するスコロトロン帯電装置を電子写真装置に用いて帯電させる方法は以下のとおりである。まず、シールドケースの開口部（グリッド電極を設けた面）を感光体ドラムに対向させ、放電ワイヤに直流の高電圧を定電流制御して印加する。これにより、放電ワイヤの周りにコロナ放電が発生し、コロナ放電により発生したイオンが感光体ドラムに達して、感光体ドラムの表面を定電圧素子により得られる電圧と同等の電圧に帯電させることができる。この際に、グリッド電極が感光体ドラムに流れるコロナイオン流を制御することにより、感光体ドラムは均一に帯電される。
【０００４】
しかしながら、このようなスコロトロン帯電装置は、次に述べるような種々の問題点がある。まず、環境衛生上の問題として、コロナ放電によって大気中の酸素分子がイオン化し、オゾンが発生してしまうという問題点が挙げられる。特にレーザプリンタで用いられるような負帯電の装置は、正帯電の装置に比べてオゾン発生量が多い。また、感光体ドラムが帯電するために必要な数十μＡのドラム流入電流を得るためには、放電ワイヤに数百μＡもの電流を供給する必要がある。オゾン発生量は、放電ワイヤに流れる電流値で決まるものであるため、この場合、大量のオゾンが発生してしまう。
【０００５】
このため、通常のプリンタ装置では、排気ダクトからオゾンフィルタを介して排気を行っている。このように、電流利用効率が悪いので大型の高圧電源が必要であると共に、オゾン対策としてオゾンフィルタや排気用ファン等が必要となるので、コストが大幅にアップしてしまう。そこで、オゾンの発生量を低減するために、例えば、鋸歯形状の帯電電極（鋸歯電極）とした帯電装置が用いられている。
【０００６】
また、スコロトロン帯電装置等の放電ワイヤを用いたコロナ帯電装置では、繰り返しコロナ放電を行っている際に、放電ワイヤに異物が付着する。この付着量が多くなると、放電むらが発生して画質品質の劣化を生じてしまう。従って、一定期間毎にまたは必要に応じて清掃または交換を行う必要があり、メンテナンスが煩雑となる。
【０００７】
このため、放電ワイヤの汚れた部分を、巻取手段を用いて巻き取り、汚れのない放電ワイヤでコロナ放電を行うことが開示されている（例えば、特許文献１参照）。また、絶縁体からなる基材と、この基材上に設けられた導電体からなる印加電極と、この印加電極の表面に設けられた半導電体膜より成る帯電電極とより構成される面放電素子を感光体と対向して設け、前記基材に柔軟性を有するテープを使用するとともに、前記感光体の長手方向に沿って巻取可能に配置した帯電装置が開示されている（例えば、特許文献２参照）。
【特許文献１】実開平５−３３１５８号公報（平成５年(1993)４月３０日公開）
【特許文献２】特開平６−２７７８１号公報（平成６年(1994)２月４日公開）
【発明の開示】
【発明が解決しようとする課題】
【０００８】
しかしながら、上記特許文献１および２の構成では、常に汚れのない放電ワイヤを用いてコロナ放電を行うことは可能になるものの、オゾンの発生を低減することはできない。また、従来の帯電装置に用いられる鋸歯電極は、帯電装置本体に固定された状態で用いられているため、依然として一定期間毎にまたは必要に応じて清掃または交換を行う必要性を有している。
【０００９】
このように、コロナ放電を行う帯電装置において、放電ワイヤを巻き取り、汚れのない放電ワイヤを用いることは開示されているものの、鋸歯電極を巻き取ることについては開示されていない。これは、鋸歯電極の安定した巻き取りや巻き戻しを行うことが困難であり、鋸歯電極の巻き取りを行った場合には鋸歯電極が変形してしまうためである。この場合、感光体ドラムを均一に帯電させることができず、画質不良を起こしてしまう。
【００１０】
本発明は、上記の問題点に鑑みてなされたものであり、その目的は、鋸歯電極を変形させることなく安定して巻き取りを行うことが可能な帯電装置を実現することにある。
【課題を解決するための手段】
【００１１】
本発明に係る帯電装置は、上記課題を解決するために、尖突形状の放電電極を複数有する板状の放電手段と、該放電手段を巻き取る巻取手段とを備えた帯電装置であって、上記放電手段に開口部が設けられていることを特徴としている。
【００１２】
上記の構成によれば、放電電極が尖突形状をしていることから、放電手段は放電電極の尖端から放電する。従って、ワイヤを用いた放電と比較してオゾンの発生を抑制することが可能となる。また、複数の放電電極から放電しているため、帯電装置を例えば電子写真装置等に用いた場合には、画質不良が起こることを回避することができる。なお、尖突形状とは、先端が鋭角となった形状であり、例えば楔形状のことである。また、この尖突形状の放電電極を複数有する構成とは、例えば鋸歯形状を挙げることができる。
【００１３】
上記放電手段は板状となっているため、巻取手段によって巻き取ることができる。これにより、例えば放電手段が汚れた場合であっても、放電に用いる部分の放電手段として汚れのない新しい放電手段を露出させることが可能となる。
【００１４】
なお、放電手段が単なる板状である場合には、巻き取る際に放電手段に加えられる応力は略均一になる。これに対して、放電手段が尖突形状の放電電極を有する場合には、放電手段の形状が一様でないため加えられる応力が均一にならない。このため、尖突形状の放電電極を有する放電手段を巻き取る場合には、撓みやすく放電電極にダメージを与えてしまう。
【００１５】
これに対して、上記の構成によれば、放電手段に開口部が設けられている。開口部を設けることにより、放電手段に加えられる応力を分散または低減することが可能となる。これにより、巻き取りが容易になると共に、放電手段（特に放電電極）の撓みや変形を防止することが可能となり安定した巻き取りを行うことができる。すなわち、常に安定した放電を行うことができる帯電装置とすることができる。
【００１６】
本発明に係る帯電装置では、上記開口部が複数設けられており、各開口部が等間隔に配置されていることが好ましい。複数の開口部が等間隔で設けられていることにより、放電手段に加えられる応力をより低減にすることができる。これにより、放電手段を変形させることなく容易に巻き取ることができる。
【００１７】
本発明に係る帯電装置では、上記開口部は、隣接する放電電極の各尖端部から放電手段の短手方向に延伸した各直線間に設けられていることが好ましい。また、本発明に係る帯電装置では、上記開口部は、放電電極の先端部から放電手段の短手方向に延伸した直線上に設けられていてもよい。ここで、尖端部とは、尖突形状の放電電極の鋭角な先端部分の頂点を意味する。上記の構成とすることより、放電手段を巻き取る際に、放電手段に加えられる応力を低減することができるため、放電手段を変形させることなく容易に巻き取ることができる。
【００１８】
本発明に係る帯電装置では、上記放電手段を清掃する清掃手段をさらに備えていることが好ましい。清掃手段を備えていることにより放電手段が汚れた場合に清掃することができる。このため、放電手段を繰り返し使用することが可能となる。従って、放電手段そのものの交換やメンテナンスが不要となるため、経済的であると共に管理の煩わしさを回避することができる。
【００１９】
本発明に係る帯電装置では、上記清掃手段は、一対の弾性発泡部材からなっていることが好ましい。放電手段の清掃に弾性発泡部材を用いるため、放電手段の損傷や変形を防止することができると共に、放電手段に付着した汚れを容易に除去することができる。
【発明の効果】
【００２０】
本発明に係る帯電装置は、以上のように、尖突形状の放電電極を複数有する板状の放電手段と、該放電手段を巻き取る巻取手段とを備えた帯電装置であって、上記放電手段には開口部が設けられている。このため、オゾンの発生を抑制することができるという効果を奏する。また、巻き取りが容易になると共に、放電手段（特に放電電極）の撓みや変形を防止することが可能となり安定した巻き取りを行うことができ、常に安定した放電を行うことができる帯電装置とすることができるという効果を奏する。
【発明を実施するための最良の形態】
【００２１】
〔実施の形態１〕
本発明の第１の実施の形態について図１ないし図６に基づいて説明すると以下の通りである。
【００２２】
図２は、本実施の形態に係る電子写真装置の要部概略構成を示す断面図である。図２に示すように、電子写真装置は、感光体ドラム１、帯電器（帯電装置）２、露光部３、現像部４、転写・剥離器５、クリーニング部６、除電部７、剥離爪１１、定着部８を備えている。
【００２３】
感光体ドラム１は、金属または樹脂製の導電性基体と、導電性基体の表面に形成される下引き層と、下引き層上に形成される感光層とからなり、図２中矢印Ｒ１方向（時計回り）に回転駆動するものである。感光層は、下引き層上に形成される比較的薄いキャリア発生層（ＣＧＬ）と、最外に形成されるポリカーボネートを主成分とした比較的薄いキャリア移動層（ＣＴＬ）とで構成されている。
【００２４】
なお、感光体ドラム１の周囲には、露光部３からのレーザ光等の照射位置から、感光体ドラム１の回転方向に、露光部３、現像部４、転写・剥離器５、クリーニング部６、除電部７、帯電器２がこの順番で配置されている。また、転写・剥離器５の転写材搬送方向下流側には、剥離爪１１、定着部８がこの順番で配置されている。
【００２５】
帯電器２は、電源７１に接続されており、この電源７１から供給される電力により、感光体ドラム１の表面を所定の電荷量（極性は負）に均一に帯電させるものである。この帯電器２としては、例えば、コロナチャージャを用いることができる。なお、帯電器２の詳細な構成については後述する。
【００２６】
露光部３は、レーザ光源を有し、感光体ドラム１と離間した位置に配置されている。露光部３は、帯電器２によって帯電された感光体ドラム１の表面をレーザ光等により露光することによって、感光体ドラム１の表面に所定の静電潜像を形成させるものである。すなわち、露光部３は、感光体ドラム１の所定部分を露光することによって、この部分に応じたキャリア発生層から正電荷を発生させ、この露光部分において帯電器２により与えられた負電荷を相殺させることにより、感光体ドラム１に静電潜像を形成するようになっている。
【００２７】
現像部４は、感光体ドラム１にトナー像を形成するものであり、感光体ドラム１にトナーを付着させるための現像ローラ４１を備えている。現像ローラ４１は、図示しない電源から供給されるバイアス電圧によって現像部４内の負電荷に帯電されたトナーを感光体ドラム１の表面に付着させるものである。また、現像ローラ４１は、感光体ドラム１と当接するようになっており、感光体ドラム１の回転に従動して、感光体ドラム１の回転方向とは反対方向である矢印Ｒ３方向（反時計回り）に回転するように設けられている。
【００２８】
このように、現像ローラ４１は、現像領域４２で感光体ドラム１と当接し、この現像領域４２に回動してきた静電潜像にトナーを付着させることにより、感光体ドラム１における静電潜像を現像（顕像化）してトナー像を形成するようになっている。
【００２９】
転写・剥離器５は、図示しない給紙装置から給紙される転写材であるシートＰを介して感光体ドラム１と接触することで、感光体ドラム１上に形成されたトナー像をシートＰに転写し、定着部８側に搬送するものである。この転写・剥離器５は、転写部１５および剥離部１９から構成されている。
【００３０】
転写部１５は、所定の転写領域に搬送され感光体ドラム１と当接するシートＰに、転写領域でトナー像と接触させ、シートＰにトナー像を転写させる転写チャージャである。また、転写部１５は、高圧の転写電源５１に接続されており、転写電源５１から高電圧が印加されるワイヤ電極である転写ワイヤ線５４を備えている。転写ワイヤ線５４は、転写電源５１から印加される高電圧によってコロナ放電を行い、転写領域のシートＰにトナーとは逆極性の正電荷を与える。これにより、シートＰを感光体ドラム１に吸着させると共に、感光体ドラム１上のトナーをシートＰに転写（移動）させるようになっている。なお、シートＰが転写領域に搬送される際には、図示しない搬送部材によって感光体ドラム１の回転と同期して転写領域へ搬送される。
【００３１】
剥離部１９は、感光体ドラム１に吸着し、トナー像が転写されたシートＰを感光体ドラム１から剥離するための剥離チャージャである。剥離部１９は、高圧の交流電源である剥離電源９１に接続されており、剥離電源９１から高電圧が印加されるワイヤ電極である剥離ワイヤ線９４を備えている。剥離ワイヤ線９４は、剥離電源９１から印加される高電圧によって交流コロナ放電を行い、トナーと同極性の負電荷をシートＰに与える。そして、シートＰの除電を行い、シートＰの剛性と自重とを利用して感光体ドラム１からシートＰを剥離するようになっている。
【００３２】
剥離爪１１は、先端が鋭利な形状となっており、この鋭利な先端を感光体ドラム１に接触させて配設されている。すなわち、剥離爪１１は、シートの剥離性を維持するために設けられているものであり、剥離部１９にて感光体ドラム１から剥離されなかったシートＰを強制的に感光体ドラム１から剥がすものである。
【００３３】
定着部８は、感光体ドラム１から剥離されたシートＰに、トナーを定着させるものである。定着部９は、一対の定着ローラ８１・８２を備えており、各定着ローラ８１・８２間にシートＰを通過させることによって、トナーを定着させるようになっている。トナーのシートＰへの定着は、例えば、熱融解によって行うことができる。そして、トナーが定着されたシートＰは、電子写真装置本体の外部へと排出される。
【００３４】
クリーニング部６は、クリーニングブレード６１を備えている。クリーニングブレード６１は、弾性体で構成されており、感光体ドラム１に直接接触して配設されている。クリーニング部６は、シートＰへのトナー像の転写が完了した後の、シートＰに転写されずに感光体ドラム１の表面に残留しているトナーをクリーニングブレード６１によって除去、回収し、感光体ドラム１の表面をクリーニングするものである。なお、クリーニング部６にて回収されたトナーは、再利用するためにクリーニング部６内に蓄積される。
【００３５】
除電部７は、クリーニング部６によるクリーニング後の感光体ドラム１に残存する電荷を除去し、感光体ドラム１を電気的に初期化（０電位化）するためのものである。除電部７としては、例えば、光除電ランプや接触除電器等を用いることができる。
【００３６】
ここで、上記帯電器２の構成について図１、図３および図４に基づいて具体的に説明する。図１は、本実施の形態に係る帯電器２の概略構成を示す図であり、（ａ）は平面図（ｂ）は側面図である。図３は、図１に示す帯電器２の要部を分解した状態を示す斜視図である。また、図４は、図１に示す帯電器２の要部概略構成を示す斜視図である。図１（ａ）・（ｂ）、図３および図４に示すように、帯電器２は、鋸歯電極（放電手段）２１、チャージャケース２２、巻取部材（巻取手段）２３・２４、ステッピングモータ２５、グリッド電極３３を備えている。
【００３７】
鋸歯電極２１は、電圧の印加により放電を行うものであり、いわゆる帯電電極である。鋸歯電極２１は、尖突形状の放電電極２６を複数有しており、これら放電電極２６が一定方向に配列した鋸歯形状をしている。以下、説明の便宜上、鋸歯電極２１のうち放電電極２６以外の部分を板部２７と称する。
【００３８】
鋸歯電極２１は、放電電極２６と板部２７とが同一平面となるように一体に形成されている。例えば、鋸歯電極２１は、板厚が約０．１ｍｍのステンレス鋼板をエッチング加工により作製することができる。従って、本実施の形態における鋸歯電極２１は、柔軟性を有するテープ状に構成されている。
【００３９】
また、本実施の形態においては、図５に示すように、放電電極２６の高さｈは２ｍｍであり、頂角θは１５°となっている。また、放電電極２６の先端半径は０．０２ｍｍ以下であり、隣接する放電電極２６間のピッチｐは２ｍｍとなっている。
【００４０】
また、上記鋸歯電極２１は、板部２７に複数の開口部２８を有している。この開口部２８は、図５に示すように、板部２７の各放電電極２６間に位置する箇所に設けられている。すなわち、開口部２８は、放電電極２６の各尖端部から鋸歯電極２１の短手方向に延伸した各直線間に設けられている。鋸歯電極２１は、後述するように、巻き取られるようになっているが、開口部２８を設けることにより、巻き取りの際に放電電極２６へ加えられる応力を低減することができる。従って、開口部２８の形状は、本実施の形態では長方形としているが、これに限定されるものではない。鋸歯電極２１の巻き取りの際に放電電極２６へ加えられる応力を低減できる形状であればよく任意に決めることができる。
【００４１】
また、開口部２８は各放電電極２６間の板部２７に設けることが好ましい。また、開口部２８は等間隔で設けられることが好ましい。ただし、これに限定されず、開口部２８を任意の放電電極２６間の板部２７に設けることもできる。
【００４２】
なお、鋸歯電極に設けられる開口部の位置も限定されない。例えば、図６に示すように、鋸歯電極（放電手段）２９を、放電電極２６が設けられている板部２７の位置に開口部３０を設けた構成としてもよい。すなわち、この場合、開口部３０は、放電電極２６の尖端部から鋸歯電極２９の短手方向に延伸した直線上に設けられている。この場合においても、鋸歯電極２９の他の構成についても任意に設定することができる。例えば、鋸歯電極２９においても、放電電極２６の高さｈは２ｍｍであり、頂角θを１５°である。また、放電電極２６の先端半径は０．０２ｍｍ以下であり、隣接する放電電極２６間のピッチｐは２ｍｍとなっている。
【００４３】
図３において、鋸歯電極２１（鋸歯電極２９でもよい。以下同じ。）は、チャージャケース２２内の支持部材３１にて支持されている。具体的には、支持部材３１には溝３２が設けられており、板部２７の一部をこの溝３２に配置することにより鋸歯電極２１を支持している。すなわち、鋸歯電極２１は、帯電器２を電子写真装置に配置した場合に、放電電極の先端（尖端部）が感光体ドラム１の方向を向くように支持されている。また、このように支持することにより、鋸歯電極２１を巻き取る場合においても、常に放電電極２６の先端（尖端部）の方向を一定に保つことができる。
【００４４】
また、チャージャケース２２の長手方向における各端部の、チャージャケース２２とは離間した位置には、各々巻取部材２３・２４が配置されている。柔軟性を有するテープ状の鋸歯電極２１は、放電電極２６が感光体ドラム１と対向するように、感光体ドラム１の回転軸と平行に、各巻取部材２３・２４の間に張設されている。
【００４５】
また、巻取部材２３にはステッピングモータ２５が接続されている。そして、このステッピングモータ２５を回転駆動させることにより、巻取部材２３が回転して、巻取部材２３・２４に張接されている鋸歯電極２１を巻取部材２３へと巻き取ることができるようになっている。従って、未使用状態の帯電器２は、巻取部材２３には必要最小限の鋸歯電極２１が巻き付けられ、巻取部材２４には感光体ドラム１の周長より十分長い鋸歯電極２１が巻きつけられた状態となっている。そして、使用過程で、巻取軸２４に十分巻き付けられた鋸歯電極２１を巻取軸２３側へ巻き取っていくこととなる。
【００４６】
また、巻取部材２３は、導電性材料からなっており、４〜１０ｋＶの高圧電圧を印加する電源（図示せず。以下、「高圧電源」と称する。）が接続されている。従って、鋸歯電極２１は、巻取部材２３を介して高圧電源と接続されている。鋸歯電極２１は、この高圧電源から電圧を印加されることにより、感光体ドラム１との間でコロナ放電を生じるようになっている。
【００４７】
グリッド電極３３は、数本のワイヤまたはメッシュを電極として配置したものである。チャージャケース２２は、内部に鋸歯電極２１を配置した場合に、放電電極２６の尖端部方向の部分が開口しており、グリッド電極３３は、この開口部分に面した位置に、チャージャケース２２とは離間するようにして配置されている。
【００４８】
グリッド電極３３には、鋸歯電極２１に接続された高圧電源とは異なる電源３４が接続されている。グリッド電極３３は、この電源３４からバイアス電圧（グリッド電圧）が印加される。グリッド電極３３は、グリッド電圧により、コロナイオン流の制御を行い、感光体ドラム１へ到達するイオン量を制御している。
【００４９】
次に、上記構成を有する電子写真装置における画像形成方法について説明する。
【００５０】
まず、感光体ドラム１の表面が帯電器２によって均一に帯電される。露光部３は、形成する画像情報に基づいて変調されたレーザ光を出射する。レーザ光が均一に帯電された感光体ドラム１表面を主走査方向に１ライン単位で順次露光することにより感光体ドラム１上に静電潜像を形成する。感光体ドラム１上に形成された静電潜像は現像部４を通過し、その際、現像部４内のトナーが感光体ドラム１上の静電潜像に対して静電的に吸着することにより静電潜像はトナー像として可視像化される。感光体ドラム１上に形成されたトナー像は、転写・剥離器５により図示しない給紙装置から給紙されたシートＰに転写・剥離される。その後、シートＰは定着部８に搬送され、定着ローラ８１・８２でトナー像はシートＰに定着され、永久可視像化される。
【００５１】
ここで、上記帯電器２を用いて感光体ドラム１の表面を帯電させる方法について説明する。
【００５２】
上述のように、高圧電源からの電圧が鋸歯電極２１に印加されることにより、鋸歯電極２１と感光体ドラム１との間でコロナ放電が生じる。また、グリッド電極３３にグリッド電圧が印加されることにより、感光体ドラム１へ到達するイオン量が制御され、感光体ドラム１表面を均一に帯電させることができる。
【００５３】
鋸歯電極２１は、コロナ放電を繰り返すことで、その表面に汚れが付着する。このため、鋸歯電極２１の汚れた部分を巻取部材２３にて巻き取ると共に、巻取部材２４に巻かれている汚れの付着していない鋸歯電極２１部分を送り出す。このように、帯電器２の鋸歯電極２１をテープ状に構成し、使用長さ分を引き出して帯電電極として張り掛けることにより、鋸歯機能を実現することができる。
【００５４】
また、定期的または任意のタイミングで鋸歯電極２１の既使用部分を巻き取り、同じ長さの未使用部分を引き出して新たな鋸歯電極２１として使用することを繰り返すことによって、鋸歯電極２１の経時劣化を抑制することができると共に、常に安定したコロナ放電を行うことが可能となる。
【００５５】
特に、本発明では、鋸歯電極２１に所定の開口部２８が設けられている。これにより、鋸歯電極２１の巻き取りが容易になると共に、鋸歯電極２１を安定して、かつ変形することなく巻き取ったり引き出したりすることができる。従って、開口部２８を設けることにより、鋸歯電極２１の歯先（放電電極２６）にダメージを与えることなく、安定した状態で放電が行える鋸歯電極２１を長時間維持することができるようになる。
【００５６】
その後、巻取部材２４側に巻かれていた全ての鋸歯電極２１を巻取部材２３側に巻き取った後には、新しい鋸歯電極と交換すればよい。
【００５７】
〔実施の形態２〕
本発明の第２の実施の形態について図７に基づいて説明すると以下の通りである。なお、上記実施の形態１で説明した部材については同一の符号を付し、その説明を省略する。また、本実施の形態では、主として実施の形態１と異なる構成について説明する。
【００５８】
図７は、本実施の形態にかかる帯電器の概略構成を示す図であり、（ａ）は平面図（ｂ）は断面図である。図７（ａ）・（ｂ）に示すように、帯電器３５は、鋸歯電極２１、チャージャケース２２、巻取部材２３・２４、ステッピングモータ２５、グリッド電極３３、清掃部（清掃手段）３６・３７を備えている。
【００５９】
清掃部３６・３７は、鋸歯電極２１を清掃するものである。清掃部２６は、チャージャケース２２と巻取部材２３との間に設けられており、清掃部３７は、チャージャケース２２と巻取部材２４との間に設けられている。清掃部３６・３７は、各々一対の清掃部材３８・３９からなっている。清掃部材３８の間および清掃部材３９の間に鋸歯電極２１を挟み込むことによって鋸歯電極２１を清掃するようになっている。すなわち、鋸歯電極２１を巻き取る際に、鋸歯電極２１を清掃部材３８の間および清掃部材３９の間に通すことで鋸歯電極２１の清掃を行っている。
【００６０】
上記清掃部材３８・３９としては、鋸歯電極２１を清掃することができるものであれば特に限定されるものではないが、例えば弾性発泡部材を用いて形成することができる。弾性発泡部材としては、例えば、シリコンゴムを挙げることができる。
【００６１】
なお、鋸歯電極２１を清掃する頻度は任意でよい。例えば、一定の複写枚数毎に行ってもよく、一定時間毎に行ってもよい。また、ユーザの指示により清掃部３６・３７を操作して鋸歯電極２１を清掃してもよい。
【００６２】
また、本実施の形態では、一度使用した鋸歯電極２１を清掃しているため、巻取部材２４に巻かれている鋸歯電極２１を全て巻取部材２３側に巻き取った後においても、ステッピングモータ２５の回転を逆にすることで、巻取部材２３側に巻き取った鋸歯電極２１を巻取部材２４側に巻き戻すことができる。これにより、鋸歯電極２１を再利用することができ、鋸歯電極２１の交換やメンテナンスが不要となる。
【００６３】
また、鋸歯電極２１の板部２７に開口部２８を設けているため、鋸歯電極２１の巻き取りや巻き戻しを容易に行うことができると共に、鋸歯電極２１が変形することを防止できる。これにより、鋸歯電極２１の歯先（放電電極２６）にダメージを与えることなく、安定した状態で放電を行うことができる鋸歯電極２１を長時間維持することができると共に、巻き戻しによる鋸歯電極２１の再利用が可能となる。
【００６４】
なお、電子写真装置が待機状態の場合であっても、定着部等の温度制御は行われている。このため、定着部から発生（蒸発）する定着オイル（シリコンオイル等）の影響により、鋸歯電極の放電電極を汚してしまうこともある。さらに、電子写真装置内に設けられたファンによる風の流れにより、電子写真装置内の汚れ（紙粉、トナー等）が鋸歯電極の放電電極に付着し、帯電性能を低下させる恐れもある。
【００６５】
このため、上記実施の形態１および実施の形態２においては、帯電電極として用いた鋸歯電極２１は、その一方の端部から他方の端部まで尖突形状の放電電極が設けられた鋸歯形状となっているものについて説明したが、本発明ではこの他に、一部が鋸歯形状となっており、残りの部分には放電電極が設けられていない構成の帯電電極とすることもできる。
【００６６】
この場合、電子写真装置が停止している待機状態においては、鋸歯形状の部分を巻き取り、放電電極が設けられていない部分を露出させておき、電子写真装置を動作させる際に、鋸歯形状の部分が露出するように巻き戻すことができる。これにより、電子写真装置が待機中の場合に、鋸歯電極の放電電極が汚れてしまうことを防止することができる。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６８】
以上のように、本発明に係る帯電装置を用いることによって、鋸歯電極を巻き取り使用した場合であっても、安定した放電を行うことができる。従って、本発明は、電子写真装置に関する分野を始めとして、電子・電気機器やその部品を製造する産業分野に好適に用いることができる。
【図面の簡単な説明】
【００６９】
【図１】本発明の実施の一形態を示すものであり、（ａ）は帯電器の概略構成を示す平面図であり、（ｂ）は帯電器の概略構成を示す側面図である。
【図２】本発明の実施の一形態を示すものであり、電子写真装置の要部概略構成を示す断面図である。
【図３】本発明の実施の一形態を示すものであり、図１に示す帯電器の要部を分解した状態を示す斜視図である。
【図４】本発明の実施の一形態を示すものであり、図１に示す帯電器の要部概略構成を示す斜視図である。
【図５】本発明の実施の一形態を示すものであり、鋸歯電極の要部概略構成を示す平面図である。
【図６】本発明の実施の一形態を示すものであり、鋸歯電極の要部概略構成を示す平面図である。
【図７】本発明の他の実施の形態を示すものであり、（ａ）は帯電器の概略構成を示す平面図であり、（ｂ）は帯電器の概略構成を示す側面図である。
【符号の説明】
【００７０】
２    帯電器（帯電装置）
２１・２９    鋸歯電極（放電手段）
２６  放電電極
２３・２４    巻取部材（巻取手段）
２８    開口部
３６・３７    清掃部（清掃手段）
【図１】
2006106438.tif 000003
【図２】
2006106438.tif 000004
【図３】
2006106438.tif 000005
【図４】
2006106438.tif 000006
【図５】
2006106438.tif 000007
【図６】
2006106438.tif 000008
【図７】
2006106438.tif 000009